(57)【要約】【課題】産業廃棄物などの廃棄物を沿岸部に長期に亘って安全に貯蔵する廃棄物貯蔵設備。【解決手段】内壁及び底壁よりなり、かつ、廃棄物を貯蔵する内殻９と、外壁及び底壁よりなる外殻６とより構成され、更に、前記内殻９を前記外殻６内に所定の空間１３，１４を有するように設けた２重殻構造の貯蔵本体３と、前記内殻９と前記外殻６との間に形成された処理空間１３の上端開口部を覆う甲板１１と、前記内殻９の上端開口部を覆う蓋体１２と、前記外殻６の少なくとも一側面に設けた護岸部１０により形成された貯蔵ユニット３９を、前記護岸部１０が外洋１ａ側に位置するように沿岸海域１に設置する。【選択図】        図１
2004230371.tif 000002
【特許請求の範囲】
【請求項１】
内壁及び底壁よりなり、かつ、廃棄物を貯蔵するための内殻と、外壁及び底壁よりなる外殻により構成され、更に、前記内殻を前記外殻内に所定の空間を有するように設けた２重殻構造の貯蔵本体と、前記内殻と前記外殻との間に形成された処理空間の上端開口部を覆う甲板と、前記内殻の上端開口部を覆う蓋体と、前記外殻の少なくとも一側面に設けた護岸部により形成された貯蔵ユニットを、前記護岸部が外洋側に位置するように沿岸海域に設置することを特徴とする廃棄物貯蔵設備。
【請求項２】
前記内殻の内部を隔壁によって複数の小区画に区切り、該小区画内に廃棄物を投入するようにしたことを特徴とする請求項１記載の廃棄物貯蔵設備。
【請求項３】
前記内殻の内部を隔壁によって複数の小区画に区切るとともに、前記貯蔵本体に地均し用クレーンを設置し、該クレーンによって前記小区画内に投入された廃棄物を平に地均しするようにしたことを特徴とする請求項１記載の廃棄物貯蔵設備。
【請求項４】
前記隔壁で仕切られた小区画上に屋根を移動可能に設置し、前記屋根によって前記小区画の上方を遮蔽するようにしたことを特徴とする請求項２又は３記載の廃棄物貯蔵設備。
【請求項５】
前記隔壁で仕切られた小区画内に、予め、所定の間隔で支柱を立てて置き、覆土後、前記支柱間をトラス構造に構築して建築物の基礎に適用することを特徴とする請求項２、３又は４記載の廃棄物貯蔵設備。
【請求項６】
前記隔壁上に、支持梁と、該支持梁に支えられた上部工とからなる車両用通路を設置させたことを特徴とする請求項２、３、４及び５記載の廃棄物貯蔵設備。
【請求項７】
前記貯蔵本体を構成している内殻と外殻のうち、少なくとも前記外殻を、コンクリートと鋼構造物とより成るハイブリッド構造で構築することを特徴とする請求項１記載の廃棄物貯蔵設備。
【請求項８】
前記貯蔵本体に汚水処理装置を設けると共に、該汚水処理装置に接続させた排水管を内外両殻間に形成された処理空間内に延設し、更に、前記処理空間内に設けた水位計の計測信号を導入した制御装置により前記汚水処理装置を制御することを特徴とする請求項１記載の廃棄物貯蔵設備。
【請求項９】
前記護岸部の前壁にスリットを設け、前記護岸部に消波機能を保有させたことを特徴とする請求項１記載の廃棄物貯蔵設備。
【請求項１０】
前記内殻の底壁を漏斗状とし、その排出口に開閉弁を有する排水管を接続させることを特徴とする請求項１又は２記載の廃棄物貯蔵設備。
【請求項１１】
前記内殻の上端開口部を覆う蓋体に、吸気ダクト及びガス放出ダクトを設けることを特徴とする請求項１記載の廃棄物貯蔵設備。
【請求項１２】
前記貯蔵本体に、該貯蔵本体の廃棄物から発生したガスを浄化するガス無害化装置を設置することを特徴とする請求項１記載の廃棄物貯蔵設備。
【請求項１３】
内壁及び底壁よりなり、かつ、廃棄物を貯蔵するための内殻と、外壁及び底壁よりなる外殻により構成され、更に、前記内殻を前記外殻内に所定の空間を有するように設けた２重殻構造の貯蔵本体と、前記内殻と前記外殻との間に形成された処理空間の上端開口部を覆う甲板と、前記内殻の上端開口部を覆う蓋体と、前記外殻の少なくとも一側面に設けた護岸部により形成された貯蔵ユニットを、経済やリサイクルの技術革新などの外的変化に合わせて、その都度、増設することを特徴とする廃棄物貯蔵設備の設置方法。
【発明の詳細な説明】
【０００１】
【発明の属する技術分野】
本発明は、廃棄物貯蔵設備及びその設置方法、より詳しくは、産業廃棄物や一般廃棄物などの廃棄物を長期に亘って沿岸部に貯蔵する廃棄物貯蔵設備及びその設置方法に関するものである。
【０００２】
【従来の技術】
従来、産業廃棄物や一般廃棄物などの廃棄物のうち、可燃物を焼却処分し、焼却処分した後の焼却灰などの残渣カスや不燃物を埋立処分することが行われている。
【０００３】
近年、このような埋立処分を沿岸海域で行うことが増加傾向にある。この場合には、先ず、予め定められた海域に護岸を構築し、その中を廃棄物埋立て区域としている（例えば、特許文献１参照。）。
【０００４】
【特許文献１】
特開２００２−１６１５２３号公報（第２〜３頁、図１７）
【０００５】
【発明が解決しようとする課題】
ところが、従来の廃棄物埋立処分方法は、護岸の構築に多大の時間や労力や工費などが必要になる。すなわち、従来の護岸は、海底に敷設されたマウンド上にケーソンなどを沈設させることにより構築されるが、施工時において、外洋から押し寄せる波浪や、完成後の地震時荷重などの外力に耐えるために、強固に固定する必要がある。
【０００６】
また、廃棄物から溶出する有害物質の流出を防止するために、鋼矢板の打設や遮水ゴムやシートを敷設することによる鉛直遮水工が必要となる。また、底面が透水性の高い原地盤である場合には、その底面にも遮水シートの敷設や地盤改良による水平遮水工も必要となるなど、二重、三重の異工程が必要である。
【０００７】
従って、工期の長期化、労力や工費の増大を招くことになっているばかりか、完璧な遮水になっているか否かの確認ができていない。
【０００８】
また、従来の処分地は、廃棄物の投入が完了した後、永年にわたるガス漏出の懸念があることから、造成された土地を有効に利用することができなかった。
【０００９】
【課題を解決するための手段】
本発明は、このような従来の問題を解決するためになされたものであって、請求項１に係る廃棄物貯蔵設備は、内壁及び底壁よりなり、かつ、廃棄物を貯蔵するための内殻と、外壁及び底壁よりなる外殻により構成され、更に、前記内殻を前記外殻内に所定の空間を有するように設けた２重殻構造の貯蔵本体と、前記内殻と前記外殻との間に形成された処理空間の上端開口部を覆う甲板と、前記内殻の上端開口部を覆う蓋体と、前記外殻の少なくとも一側面に設けた護岸部により形成された貯蔵ユニットを、前記護岸部が外洋側に位置するように沿岸海域に設置することを特徴とするものである。
【００１０】
このような廃棄物貯蔵設備によれば、内殻の中に廃棄物を貯蔵するため、廃棄物が外部へ飛散することがない。また、廃棄物から溶出した有害物質を含有する汚水は、外殻と内殻により形成される空間、すなわち、処理空間において集水可能となるため、当該廃棄物貯蔵設備から海域に流失して周辺の海域を汚染するようなこともなくなる。
【００１１】
また、上記貯蔵ユニットは、工場内で製作した後、所定の海域に曳航して設置することができるため、現場での工期を大幅に短縮することができる。
【００１２】
また、上記貯蔵本体は、任意の形状に製作することができるため、設置する海域の形状や廃棄物の量に応じて、順次、製作して洋上溶接などを行なって一体化することもできる。
【００１３】
更に、外殻と内殻の間に形成される処理空間や、底部に形成された処理空間をバラストタンクとして使用することができるため、接地圧を任意に制御することができる。
【００１４】
従って、貯蔵ユニットを設置する海底の地盤改良が簡単になる。また、設置した貯蔵ユニットを他の海域に移動させることができる。また、必要に応じて係留することができるため、海底生物の死滅を防止することができるなど多大の利点がある。
【００１５】
請求項２に係る廃棄物貯蔵設備は、前記内殻の内部を隔壁によって複数の小区画に区切り、該小区画内に廃棄物を投入するようにしたことを特徴とするものである。
【００１６】
このような廃棄物貯蔵設備によれば、廃棄物を貯蔵する内殻の中が隔壁により複数の小区画に仕切られているため、廃棄物を各小区画毎に貯蔵することができる。また、その貯蔵作業も容易なものとなる。
【００１７】
請求項３に係る廃棄物貯蔵設備は、前記内殻の内部を隔壁によって複数の小区画に区切るとともに、前記貯蔵本体に地均し用クレーンを設置し、該クレーンによって前記小区画内に投入された廃棄物を平に地均しするようにしたことを特徴とするものである。
【００１８】
このような廃棄物貯蔵設備によれば、ブルドーザを投入することができないような場合でも小区画内に投棄された廃棄物を地均し用クレーンを用いて平に地均しすることができる。
【００１９】
請求項４に係る廃棄物貯蔵設備は、前記隔壁で仕切られた小区画上に屋根を移動可能に設置し、前記屋根によって前記小区画の上方を遮蔽するようにしたことを特徴とするものである。
【００２０】
このように隔壁で仕切られた小区画上に屋根を移動可能に設置することにより、隔壁で仕切られた小区画内に雨水が侵入することを防ぐことができる。廃棄物投棄中の小区画内に雨水が侵入すると、雨水の後処理、すなわち、清浄化処理にに多大な費用が必要となるが、本発明によれば、そのような余分な費用を低減することができる。
【００２１】
請求項５に係る廃棄物貯蔵設備は、前記隔壁で仕切られた小区画内に、予め、所定の間隔で支柱を立てて置き、覆土後、前記支柱間をトラス構造に構築して建築物の基礎に適用することを特徴とするものである。
【００２２】
このように、前記隔壁で仕切られた小区画内に、予め、所定の間隔で支柱を立てて置き、覆土後、基礎として利用し、廃棄物の投入完了後、隔壁で仕切られた小区画内に建築物などを建築することができる。
【００２３】
請求項６に係る廃棄物貯蔵設備は、前記隔壁上に、支持梁と、該支持梁に支えられた上部工とからなる車両用通路を設置させたことを特徴とするものである。
【００２４】
このように、前記隔壁上に、支持梁と、該支持梁に支えられた上部工とからなる車両用通路を設置することにより、廃棄物の運搬に廃棄物運搬車を、直接、投入することができ、廃棄物の運搬および貯蔵設備への投入を容易に行なうことができる。
【００２５】
請求項７に係る廃棄物貯蔵設備は、前記貯蔵本体を構成している内殻と外殻のうち、少なくとも前記外殻を、コンクリートと鋼構造物とより成るハイブリッド構造で構築することを特徴とするものである。
【００２６】
このような廃棄物貯蔵設備によれば、外殻の腐食を防止することができるため、廃棄物から溶出した有害物質を含有する汚水の流出を長期に亘って防止することができる。
【００２７】
請求項８に係る廃棄物貯蔵設備は、前記貯蔵本体に汚水処理装置を設けると共に、該汚水処理装置に接続させた排水管を内外両殻間に形成された処理空間内に延設し、更に、前記処理空間内に設けた水位計の計測信号を導入した制御装置により前記汚水処理装置を制御することを特徴とするものである。
【００２８】
このような廃棄物貯蔵設備によれば、廃棄物から溶出した有害物質を含有する汚水などの量が水位計により検出され、所定量以上になると自動的に汚水処理装置を起動させて排水することができる。
【００２９】
請求項９に係る廃棄物貯蔵設備は、前記護岸部の前壁にスリットを設け、前記護岸部に消波機能を保有させたことを特徴とするものである。
【００３０】
このような廃棄物貯蔵設備によれば、護岸部からの反射波が低減され、完成後における船舶の航行や係留が容易になる。
【００３１】
請求項１０に係る廃棄物貯蔵設備は、前記内殻の底壁を漏斗状とし、その排出口に開閉弁を有する排水管を接続させることを特徴とするものである。
【００３２】
このような廃棄物貯蔵設備によれば、廃棄物を貯蔵する内殻内の汚水を、外殻と内殻により形成される空間に容易に流入させることができる。
【００３３】
また、開閉弁を操作することにより所定の区画内の水を排出することができる。その結果、特定の小区画の水のみを選択して排出することができ、貯蔵本体の浮力調整や廃棄物の投入に好適である。
【００３４】
請求項１１に係る廃棄物貯蔵設備は、前記内殻の上端開口部を覆う蓋体に、吸気ダクト及びガス放出ダクトを設けることを特徴とするものである。
【００３５】
このような構成による廃棄物貯蔵設備によれば、貯蔵された廃棄物から有害ガスなどが発生する場合、吸気ダクトから空気を吸引しながら、内殻内部の有害ガスをガス放出ダクトからガス無害化装置に導いて処理することができ、以て、環境の悪化を防止することができる。
【００３６】
請求項１２に係る廃棄物貯蔵設備は、前記貯蔵本体に、該貯蔵本体の廃棄物から発生したガスを浄化するガス無害化装置を設置することを特徴とするものである。
【００３７】
このような構成による廃棄物貯蔵設備によれば、貯蔵本体に貯蔵された廃棄物から有害ガスなどが発生した場合、こららの有害ガスをガス無害化装置に導いて清浄化処理することができ、以て、環境の悪化を防止することができる。
【００３８】
請求項１３に係る廃棄物貯蔵設備の設置方法は、内壁及び底壁よりなり、かつ、廃棄物を貯蔵するための内殻と、外壁及び底壁よりなる外殻により構成され、更に、前記内殻を前記外殻内に所定の空間を有するように設けた２重殻構造の貯蔵本体と、前記内殻と前記外殻との間に形成された処理空間の上端開口部を覆う甲板と、前記内殻の上端開口部を覆う蓋体と、前記外殻の少なくとも一側面に設けた護岸部により形成された貯蔵ユニットを、経済やリサイクルの技術革新などの外的変化に合わせて、その都度、増設することを特徴とするものである。
【００３９】
通常、廃棄物処分場は、２０〜３０年の単位で計画されているが、外的変化、例えば、社会経済やリサイクルの技術革新などにより、利用年数が左右される一方、１度に処理場全体を建設すると、建設費が多大なものとなることがあるが、この発明のように、貯蔵本体をユニット化し、状況に応じて貯蔵ユニットを増設することにより、処理場の建設計画に柔軟性を持たせることができる。また、当初の建設費も抑制することができる。
【００４０】
【発明の実施の形態】
以下、本発明の実施の形態を図面を用いて説明する。
【００４１】
図１において、２は、沿岸海域１に設置させた廃棄物貯蔵設備であり、複数（図１の場合は、５基）の貯蔵ユニット３９ａ〜３９ｅにより構成されている。これらの貯蔵ユニット３９ａ〜３９ｅは、沿岸海域１の海底に着底又は係留されている。
【００４２】
これらの貯蔵ユニット３９ａ〜３９ｅは、基本的にほぼ同じ構造になっているため、ここでは、第２の貯蔵ユニット３９ｂを例に採って具体的に説明する。
【００４３】
図２に示すように、貯蔵ユニット３９ｂは、内壁７及び底壁８より形成された内殻９を、外壁４及び底壁５より形成された外殻６内に所定の空間を有するように設けた２重殻構造の貯蔵本体３と、内殻６と外殻９間に形成された空間１３の上部開口部を覆う甲板１１と、前記内殻９の上部開口部を覆う蓋体１２と、前記外殻９の少なくとも一側面に設けた護岸部１０により形成されている。
【００４４】
図１に戻って説明すると、貯蔵ユニット３９ｃ及び３９ｄは、貯蔵ユニット３９ｂと同様に外殻６の前端面に護岸部１０を備えているが、廃棄物貯蔵設備２の両端に位置する貯蔵ユニット３９ａ及び３９ｅは、外殻９の前端面及び外洋１ａに洗われる側端面に護岸部１０を備えている。
【００４５】
再度、図２に戻って説明すると、貯蔵本体３は、内殻９を外殻６の中に設けた二重殻構造に形成され、内殻９は、外殻６に設けた多数の支持部材１５によって支持されている。この貯蔵本体３は、内殻９の周囲に第１の空間（第１の処理空間）１３を有し、内殻９の直下に第２の空間（第２の処理空間）１４を有している。更に、内殻９は、その中に設けた長手方向の隔壁１６ａ及び横手方向の隔壁１６ｂによって複数の小区画４６に分割されている。１８は、海底に敷設された基礎地盤を示している。
【００４６】
上記護岸部１０は、コンクリートと鋼材から構成された所謂ハイブリッド構造の箱型構造でも良いが、例えば、図３に示すように、ハイブリッド製の箱体の前壁１０ａに多数の縦型スリット１７を設ける一方、その背後に遊水室３６を設けて消波機能を持たせるようにしても良い。
【００４７】
図４において、２０は、第１の空間１３内に設置された汚水処理装置である。
この汚水処理装置２０には、第１の排水管２１が接続され、その下端は、第１の空間１３の底部まで延設されている。また、この第１の空間１３の下部には、水位計２２が取り付けられている。そして、水位計２２の信号Ｖ１は、制御装置２３に入力され、そこで作成された制御信号Ｖ２によって汚水処理装置２０を制御し、第１の空間１３内に流入したバラスト水や保有水を浄化して機外に排出するようになっている。
【００４８】
上記蓋体１２は、内殻９内に形成された小区画４６に投入された廃棄物（図示せず）の気密を保持するため、その下面全周にわたってゴムパッキンの如きシール材が取り付けられている。
【００４９】
しかし、廃棄物からガスが発生する恐れがある場合は、この蓋体１２に開閉弁２７を有する吸気ダクト２８と、開閉弁２９を有するガス放出ダクト３０とを接続するとともに、小区画４６内にガス検知器（図示せず）を配置し、このガス検知器の信号によって開閉弁２７，２９を開放するとともに、ガスを図示しないガス無害化装置に導入して処理する。
【００５０】
次に、貯蔵ユニットの設置方法について説明する。
【００５１】
図５に示すように、工場で建造された第１の貯蔵ユニット３９ａを、図示しない引き舟により、予め構築しておいた基礎地盤１８の真上に曳航する。
【００５２】
次に、貯蔵本体３内の第１，第２の空間１３，１４及び内殻９内にバラスト水Ｌを張水し、図６に示すように、第１の貯蔵ユニット３９ａを基礎地盤１８上に着底させる。この貯蔵ユニット３９ａと同様に第２〜第５の貯蔵ユニット３９ｂ〜３９ｅを基礎地盤１８上に着底させる。
【００５３】
次に、図７に示すように、第１の小区画４６内のバラスト水のみを図示しない揚水装置を用いて排水した後、第１の小区画４６内にベルトコンベアなどの搬送装置３５を用いて廃棄物Ｗを投入する。
【００５４】
そして、第１の小区画４６が廃棄物Ｗで満たされたならば、第１の小区画４６の上に蓋体１２を被せて密閉する（図８参照）。
【００５５】
第１の小区画４６内に貯蔵された廃棄物Ｗから発生した有害ガスは、ガス放出ダクト３０を経て図示しないガス無害化装置に導入され、無害化後、大気中に排出される。また、通常、あってはならないことであるが、若し、内殻９から外殻６内に有害物質が流出した場合には、汚水処理装置２０によって処理される。
【００５６】
第１の小区画４６に廃棄物Ｗが貯蔵されると、第２、第３、・・・の小区画４６に、順次、廃棄物Ｗを投入する。そして、全ての小区画４６に廃棄物Ｗが貯蔵されると、第１の貯蔵ユニット３９ａの上面が広大な造成地として利用することができる（図８参照）。その後、引き続き、第２、第３、・・・第５の貯蔵ユニット３９ｂ、３９ｃ、・・・３９ｄに廃棄物Ｗを貯蔵する。
【００５７】
次に、上記以外の実施形態について説明する。
【００５８】
上記の説明では、複数、例えば、５基の貯蔵ユニット３９ａ〜３９ｅを、一挙に、設置する場合について説明したが、例えば、図９に示すように、最初に、第１の貯蔵ユニット３９ａのみを設置し、リサイクルの技術革新などの外的変化に対応して第２、第３、・・・の貯蔵ユニット３９ｂ、３９ｃ、・・・を、順次、設置するようにしてもよい。
【００５９】
また、貯蔵ユニットを海底に着底させる場合について説明したが、貯蔵ユニットを係留ドルフィンなどに係留することもできる。この場合には、各小区画４６へ廃棄物Ｗを投入する際に、貯蔵ユニット３９の姿勢を制御する必要がある。すなわち、廃棄物Ｗの投入に合わせて、例えば、第２の空間１４内のバラスト水をコントロールすることが必要である。
【００６０】
また、図１０に示すように、隔壁１６によって仕切られた小区画４６の底壁８ａを漏斗状に形成し、その最下部に設けた開口２４に開閉弁２５を有する第２の排水管２６の一端を接続するとともに、その他端を第１の空間１３に連通させることもできる。
【００６１】
上記の構造により、内殻９内のバラスト水や汚水の排出を容易に行うことができる。また、上記開閉弁２５の操作により、各小区画４６内のバラスト水や汚水を選択して排出できるため、廃棄物の投入や貯蔵ユニット３９の浮力調節が容易なものとなる。
【００６２】
図１１は、貯蔵ユニットの他の実施形態を示しており、作業員が甲板１１に設けられた出入口３１から第１の空間１３内に配置された昇降階段（図示せず）を利用して第１の空間１３や第２の空間１４内に出入り可能になっている。また、蓋体１２には、吸気ダクト３２が配置されるとともに、第１の空間１３内には、汚水処理装置３３とガス無害化装置３４とが配置され、小区画４６内の汚水やガスを無害化して排出するようになっている。
【００６３】
上記貯蔵ユニット３９は、ドック内で一体的に製造されるか、或いは、必要に応じてブロックとして製作され、所定の海域に曳航された後、洋上溶接などにより一体化される。また、この貯蔵ユニット３９は、鋼板又はハイブリッド構造として製作されるが、少なくとも外殻６は、ハイブリッド構造として製作されるのが好ましい。尚、隔壁１６の下端には、排水用の孔１９が設けられている。
【００６４】
図１２に示すように、上記貯蔵ユニット３９は、その上面に通路３７を格子状に配している。この通路３７は、隔壁１６の上端部に設けた通路３７ａと、貯蔵本体３の甲板１１を利用した通路３７ｂにより形成されている。
【００６５】
隔壁１６の上端部に設けた通路３７ａは、図１３に示すように、隔壁１６の上端に一定間隔で取り付けた多数の横梁３８と、その上に敷設した鋼板製の上部工４１ａにより形成されている。
【００６６】
上記のように、貯蔵ユニット３９の上面に通路３７を格子状に設けることにより、廃棄物運搬車４２の往来が容易になり、図１５に示すように、廃棄物運搬車４２によって運んだ廃棄物Ｗを廃棄物運搬車４２から小区画４６内に直接投入することができる。
【００６７】
尚、図１２中、符号４０は、消波堤１０の代わりに適用した波消しブロック群、４６ａは廃棄物投入中の小区画、４６ｂは注水されている小区画、４６ｃは廃棄物で満杯になった小区画、４６ｄは覆砂した小区画を示している。
【００６８】
また、隔壁１６で仕切られた小区画４６内にブルドーザを投入できない場合には、図１３に示すように、貯蔵ユニット３９に地均しクレーン４３を設置し、当該クレーン４３のアーム４４から吊るしたバケット４５によって小区画４６内に投棄された廃棄物Ｗを平に地均しすることができる。
【００６９】
また、図１２及び図１５に示すように、隔壁１６で仕切られた小区画４６の上方に蒲鉾型の移動式の屋根４７を設置することにより、雨水の侵入を防ぐことができる。この屋根４７は、上記通路３７上に敷設したレール（図示せず）に沿って移動するようになっている。この移動式屋根４７は、図１５に示すように、前後左右方向に移動可能になっている。
【００７０】
また、図１４に示すように、隔壁１６で仕切られた小区画４６内に、予め、所定の間隔で支柱４９を立てて置き、覆土後、前記支柱４９間を筋交い材５０を用いてトラス構造に構築して建築物の基礎５１に適用することもできる。この場合には、小区画４６内に建築物５２などを建築することができる。
【００７１】
また、図１６に示すように、移動式雨水処理装置５３を用いて隔壁１６によって仕切られた小区画４６内に溜まった雨水Ｎを処理することも可能である。移動式雨水処理装置５３に処理された雨水Ｎは、例えば、タンクローリー５４によって系外に搬送される。
【００７２】
【発明の効果】
上記のように、本発明の廃棄物貯蔵設備は、内壁及び底壁よりなり、かつ、廃棄物を貯蔵するための内殻と、外壁及び底壁よりなる外殻により構成され、更に、前記内殻を前記外殻内に所定の空間を有するように設けた２重殻構造の貯蔵本体と、前記内殻と前記外殻との間に形成された処理空間の上端開口部を覆う甲板と、前記内殻の上端開口部を覆う蓋体と、前記外殻の少なくとも一側面に設けた護岸部により形成された貯蔵ユニットを、前記護岸部が外洋側に位置するように沿岸海域に設置し、廃棄物Ｗを、二重殻構造の貯蔵本体の内殻内に貯蔵するようにしたため、仮に、廃棄物Ｗから溶出する有害物質を含有する保有水が内殻より洩れても内殻の外側にある外殻によって海域への流出が阻止されることから、環境汚染を未然に防止することができる。
【００７３】
また、二重殻構造の貯蔵本体と護岸部とを含め、貯蔵ユニットを工場で一体的に製作した後、所定の沿岸海域に曳航して設置するため、現場での工期の短縮、労力や工費の低減を計ることができる。
【００７４】
更に、この貯蔵ユニットは、バラストを調整することにより、再浮上させて移動させることができるため、沿岸海域の環境改善や、造成地の有効活用を計ることができるなどの幾多の利点を得ることができる。
【００７５】
また、従来の処分地は、廃棄物投入完了後、ガス漏出の懸念から造成された土地の有効利用が永年にわたってできなかったが、本発明は、漏出ガスを処理空間に設けたガス無害化装置により一括処理ができるため、廃棄物投入後、早期に土地の有効利用が可能となる。
【００７６】
一方、本発明の廃棄物貯蔵設備の設置方法は、内壁及び底壁よりなり、かつ、廃棄物を貯蔵するための内殻と、外壁及び底壁よりなる外殻により構成され、更に、前記内殻を前記外殻内に所定の空間を有するように設けた２重殻構造の貯蔵本体と、前記内殻と前記外殻との間に形成された処理空間の上端開口部を覆う甲板と、前記内殻の上端開口部を覆う蓋体と、前記外殻の少なくとも一側面に設けた護岸部により形成された貯蔵ユニットを、経済やリサイクルの技術革新などの外的変化に合わせて、その都度、増設することを特徴とする。
【００７７】
通常、廃棄物処分場は、２０〜３０年の単位で計画されているが、外的変化、例えば、社会経済やリサイクルの技術革新などにより、利用年数が左右される一方、１度に処理場全体を建設すると、建設費が多大なものとなることがあるが、この発明のように、貯蔵本体をユニット化し、状況に応じて貯蔵ユニットを増設することにより、処理場の建設計画に柔軟性を持たせることができる。また、当初の建設費も抑制することができる。
【図面の簡単な説明】
【図１】本発明に係る廃棄物貯蔵設備の平面図である。
【図２】図１のＡ―Ａ断面図である。
【図３】貯蔵ユニットの斜視図である。
【図４】図２のＣ部拡大断面図である。
【図５】貯蔵ユニットを設置する第一工程の説明図である。
【図６】貯蔵ユニットを設置する第二工程の説明図である。
【図７】貯蔵ユニットを設置する第三工程の説明図である。
【図８】貯蔵ユニットを設置する第四工程の説明図である。
【図９】貯蔵ユニットの設置方法を説明する平面図である。
【図１０】貯蔵ユニットの要部拡大断面図である。
【図１１】貯蔵ユニットの要部拡大断面図である。
【図１２】貯蔵ユニットに作業車道路を設けた斜視図である。
【図１３】地均しクレーンの作業説明図である。
【図１４】小区画内に基礎構造物を設けた正面図である。
【図１５】廃棄物運搬車より小区画内に直接廃棄物を投入する作業説明図である。
【図１６】移動式雨水処理装置により隔壁で囲まれた小区画内の雨水を排水作業説明図である。
【符号の説明】
１  沿岸海域
３  貯蔵本体
４  外壁
５  底壁
６  外殻
７  内壁
８  底壁
９  内殻
１０  護岸部
１１  甲板
１２  蓋体
３９  貯蔵ユニット
【図１】
2004230371.tif 000003
【図２】
2004230371.tif 000004
【図３】
2004230371.tif 000005
【図４】
2004230371.tif 000006
【図５】
2004230371.tif 000007
【図６】
2004230371.tif 000008
【図７】
2004230371.tif 000009
【図８】
2004230371.tif 000010
【図９】
2004230371.tif 000011
【図１０】
2004230371.tif 000012
【図１１】
2004230371.tif 000013
【図１２】
2004230371.tif 000014
【図１３】
2004230371.tif 000015
【図１４】
2004230371.tif 000016
【図１５】
2004230371.tif 000017
【図１６】
2004230371.tif 000018